(57)【特許請求の範囲】
【請求項１】
撮影光学系を介して銀塩フィルムに被写体像を記録するための撮影動作を制御する撮影動作制御手段と、
前記撮影光学系を介して撮像素子に被写体像を結像させ、光電変換により被写体像に応じた画像信号を発生させる撮像動作を制御する撮像動作制御手段と、
前記銀塩フィルムの露光面の位置を規定するために前記撮影光学系の後方に設けられたフィルムガイド部材と、
前記撮影光学系により形成される被写体像を前記銀塩フィルムに結像させるために前記フィルムガイド部材に設けられた開口部を拡大させる開口部拡大手段とを備え、
前記開口部拡大手段により前記開口部を拡大させることによって、前記撮像素子を配置するための撮像素子収容領域が形成され、
前記開口部を拡大させないことによって、被写体像を前記銀塩フィルムに記録することが可能となり、また、前記開口部拡大手段により前記開口部を拡大させて前記撮像素子を前記撮像素子収容領域に配置することによって、被写体像を前記撮像素子により撮像することが可能となり、前記銀塩フィルムの露光面および前記撮像素子の受光面の位置が前記撮影光学系による被写体像の結像面の位置と一致することを特徴とするカメラの露光面および受光面調整機構。
【請求項２】
前記開口部拡大手段が、前記フィルムガイド部材により規定される前記銀塩フィルムの給送通路と垂直な方向に沿って、前記開口部を拡大させることを特徴とする請求項１に記載のカメラの露光面および受光面調整機構。
【請求項３】
前記フィルムガイド部材が、前記銀塩フィルムの給送通路と垂直な上下方向に沿って２つの凹型部材に均等に分割されており、前記２つの凹型部材が前記上下方向に沿って変動自在であることを特徴とする請求項１に記載のカメラの受光面および露光面調整機構。
【請求項４】
前記開口部拡大手段が、前記２つの凹型部材を同じ移動量だけ前記上下方向に沿ってそれぞれ外側に移動させることにより、前記開口部を拡大させることを特徴とする請求項３に記載のカメラの露光面および受光面調整機構。
【請求項５】
前記撮像素子が、カメラの裏蓋に備えられ、かつ、前記撮像素子が備えられた裏蓋をカメラ本体に装着した時に前記撮像素子の受光面の位置が前記被写体像の結像面の位置と一致するように、裏蓋の内側に取り付けられることを特徴とする請求項１に記載のカメラの露光面および受光面調整機構。
【請求項６】
前記開口部拡大手段により前記開口部を拡大させて前記撮像素子が備えられた裏蓋を前記カメラ本体に装着することにより、前記撮像動作制御手段による被写体の撮像が可能な状態になることを特徴とする請求項５に記載のカメラの露光面および受光面調整機構。
【請求項７】
前記撮像動作制御手段により前記撮像素子の受光面において結像された被写体像が、メモリに画像データとして記録されることを特徴とする請求項６に記載のカメラの露光面および受光面調整機構。
【請求項８】
前記撮像素子が、前記銀塩フィルムに比べて厚みがあり、前記撮像素子の受光面が前記撮像素子の内部に位置することを特徴とする請求項１もしくは請求項５に記載のカメラの露光面および受光面調整機構。
【請求項９】
前記撮像素子の受光面の領域が、前記銀塩フィルムの１画面分の露光面の領域と同じであり、前記撮像素子の寸法が、その１画面分の露光面の領域よりも大きいことを特徴とする請求項１もしくは請求項５に記載のカメラの露光面および受光面調整機構。
【発明の詳細な説明】
【０００１】
【発明の属する技術分野】
本発明は、銀塩フィルムに被写体像を記録するとともに、同じ被写体像を画像データとしてメモリに記録することもできる銀塩デジタルスチル両用カメラに関し、特に、銀塩フィルムとメモリのいずれか一方に被写体像を選択的に記録することができる一眼レフ型の銀塩デジタルスチル両用カメラに関する。
【０００２】
【従来の技術】
従来、銀塩フィルムに画像を記録するか、もしくはＣＣＤなど撮像素子により画像を撮像してメモリに記録することができる一眼レフ型の銀塩デジタルスチル両用カメラが知られている。このような一眼レフカメラでは、２つの裏蓋が用意されており、銀塩フィルムに画像を記録する場合には、フィルム用圧板を備えた裏蓋が使用され、画像を撮像する場合には、撮像素子が備えられた裏蓋が使用される。
【０００３】
フィルム用圧板を備えた裏蓋をカメラに装着すると、カメラ本体内に設けられたフィルムガイド部材により銀塩フィルムの露光面の位置が規定され、この露光面の位置が被写体像の結像面の位置となる。一方、撮像素子が内側に備えられた裏蓋をカメラに装着すると、撮像素子が銀塩フィルムの露光面の位置に配置される。これにより、レンズを通った被写体像は、撮像素子において結像され、画像データとしてメモリに記録される。
【０００４】
【発明が解決しようとする課題】
ところが、撮像素子は一般的に銀塩フィルムに比べて厚みがあり、撮像素子の受光面は表面上ではなく内部に位置する。したがって、裏蓋を閉めた時の撮像素子の受光面の位置は、銀塩フィルムの露光面に一致しない。すなわち、撮像素子の受光面の位置は、被写体像の結像面の位置と一致しない。このような撮像素子の配置で被写体を撮像すると、焦点の合わない不鮮明な被写体像がメモリに記録されてしまう。
【０００５】
本発明は、銀塩フィルムの露光面および撮像素子の受光面の位置と被写体像の結像面の位置を容易に一致させることができる一眼レフ型の銀塩デジタルスチル両用カメラを得ることを目的とする。
【０００６】
【課題を解決するための手段】
本発明のカメラの露光面および受光面調整機構は、撮影光学系を介して銀塩フィルムに被写体像を記録するための撮影動作を制御する撮影動作制御手段と、撮影光学系を介して撮像素子に被写体像を結像させ、光電変換により被写体像に応じた画像信号を発生させる撮像動作を制御する撮像動作制御手段と、銀塩フィルムの露光面の位置を規定するために撮影光学系の後方に設けられたフィルムガイド部材と、撮影光学系により形成される被写体像を銀塩フィルムに結像させるためにフィルムガイド部材に設けられた開口部を拡大させる開口部拡大手段とを備え、開口部拡大手段により前記開口部を拡大させることによって、前記撮像素子を配置するための撮像素子収容領域が形成され、開口部を拡大させないことによって、被写体像を銀塩フィルムに記録することが可能となり、また、開口部拡大手段により開口部を拡大させて撮像素子を撮像素子収容領域に配置することによって、被写体像を撮像素子により撮像することが可能となり、銀塩フィルムの露光面および前記撮像素子の受光面の位置が前記撮影光学系による被写体像の結像面の位置と一致することを特徴とする。
【０００７】
開口部拡大手段は、フィルムガイド部材により規定される銀塩フィルムの給送通路と垂直な方向に沿って、開口部を拡大させることが望ましい。
【０００８】
フィルムガイド部材は、銀塩フィルムの給送通路と垂直な上下方向に沿って２つの凹型部材に均等に分割されており、前記２つの凹型部材が上下方向に沿って変動自在であることが望ましい。このとき、開口部拡大手段は、２つの凹型部材を同じ移動量だけ上下方向に沿ってそれぞれ外側に移動させることにより、開口部を拡大させることが望ましい。
【０００９】
撮像素子は、カメラの裏蓋に備えられ、かつ、撮像素子が備えられた裏蓋をカメラ本体に装着した時に撮像素子の受光面の位置が被写体像の結像面の位置と一致するように、裏蓋の内側に取り付けられることが望ましい。
【００１０】
開口部拡大手段により開口部を拡大させて撮像素子が備えられた裏蓋をカメラ本体に装着することにより、撮像動作制御手段による被写体の撮像が可能な状態になることが望ましい。そして、撮像動作制御手段により撮像素子の受光面において結像された被写体像は、メモリに画像データとして記録されることが望ましい。
【００１１】
撮像素子は、銀塩フィルムに比べて厚みがあり、撮像素子の受光面が撮像素子の内部に位置することが望ましい。また、撮像素子の受光面の領域は、銀塩フィルムの１画面分の露光面の領域と同じであり、撮像素子の寸法は、その１画面分の露光面の領域よりも大きいことが望ましい。
【００１２】
【発明の実施の形態】
以下、図面を参照して本発明の実施形態である一眼レフ型の銀塩デジタルスチル両用カメラについて説明する。
【００１３】
図１は、銀塩デジタルスチル両用カメラの主要な内部構成を示した図である。この一眼レフ型カメラでは、銀塩フィルムに画像を記録する場合に適用される裏蓋と、ＣＣＤなど撮像素子により画像を撮像する場合に適用される裏蓋が、別々に用意される。図１では、銀塩フィルムへの画像記録用の裏蓋が、カメラ本体に取り付けられている。
【００１４】
撮影光学系１１は複数のレンズ（図示せず）および絞り（図示せず）により構成され、カメラ本体１０に着脱可能である。カメラ本体１０には、フィルム用裏蓋Ｕ１が取り付けられており、フィルム用裏蓋Ｕ１の内側には、銀塩フィルムＦを圧接するための圧板１９が設けられている。なお、図１では、撮影光学系１１の光軸Ｅが一点鎖線により示される。以下では、光軸Ｅに沿ってフィルム用裏蓋Ｕ１側を後方、撮影光学系１１側を前方とする。
【００１５】
カメラ本体１０内には、クイックリターンミラー１２が設けられており、撮影光学系１１の後方に配置される。クイックリターンミラー１２は、傾斜した位置（以下、ダウン位置という）から、２点鎖線で示した水平位置（以下、アップ位置という）の範囲において、回動することができる。シャッタ１７が作動しない間（銀塩フィルムＦが露光されない間）、クイックリターンミラー１２はダウン位置に置かれるが、シャッタ１７が作動する時には、クイックリターンミラー１２はダウン位置からアップ位置まで回転させられ（跳ね上げられ）、所定時間だけアップ位置の状態で止められる。
【００１６】
撮影動作が実行されない場合、被写体Ｍにより反射した光は、撮影光学系１１を通って収束し、クイックリターンミラー１２によりピント板１３の方向に導かれる。すなわち、撮影光学系１１により形成された被写体像は、クイックリターンミラー１２の上方に設けられたピント板１３に結像され、ペンタプリズム１４、ファインダ１５を介して撮影者によって観察される。このとき、観察される被写体像のピントは、銀塩フィルムＦの露光面における被写体像のピントに対応しており、観察される被写体像が合焦している場合、鮮明な被写体像が銀塩フィルムＦに記録される。
【００１７】
クイックリターンミラー１２の光軸Ｅに沿った後方には、シャッタ１７が配置されている。このシャッタ１７は、銀塩フィルムＦに対する露光量を調整するために設けられており、先幕、後幕が連動して上下方向に移動する、いわゆるフォーカルプレーンシャッタである。シャッタ１７の後方には、銀塩フィルムＦの露光面の位置Ｘを規定するためのフィルムガイド部材１８が取り付けられている。このフィルムガイド部材１８により規定される光軸Ｅに沿った銀塩フィルムＦの露光面の位置Ｘに、被写体像の結像面の位置が定められる。なお、ピン（図示せず）により、フィルムガイド部材１８がレバー（図示せず）と係合している。
【００１８】
フィルムガイド部材１８には、銀塩フィルムＦの露光面と対向する部分に開口部（図示されない）が設けられており、撮影光学系１１を通った光は開口部を通過して銀塩フィルムＦに到達する。銀塩フィルムＦがカメラ本体１０内に装填されている場合、フィルムガイド部材１８に形成された開口部の領域（アパ−チャ−）は、銀塩フィルムＦの１画面分の露光面の領域と等しい。フィルム用裏蓋Ｕ１がカメラ本体１０に装着されると、銀塩フィルムＦは、裏蓋Ｕ１の内側に板ばね（図示せず）を介して取り付けられた圧板１９により、フィルムガイド部材１８に圧接される。
【００１９】
なお、フィルム用裏蓋Ｕ１の一端は、カメラ本体１０に枢着され、これによりフィルム用裏蓋Ｕ１が開閉可能となる。
【００２０】
カメラ本体１０の上部には、レリーズスイッチ（図示せず）が設けられており、レリーズスイッチが全押しされると、クイックリターンミラー１２はアップ位置まで移動し、この移動に連動してシャッタ１７が所定時間開放させられる。これにより、被写体像は、フィルムガイド部材１８における開口部を介して、銀塩フィルムＦの露光面において結像される。
【００２１】
銀塩フィルムＦはロール状になってパトローネ（図示せず）に収納され、パトローネはカメラ本体１０内の一方の片側位置に設けられたパトローネ室（図示せず）に格納される。パトローネから引き出された銀塩フィルムＦは、一対のガイドレール１８ａおよびガイド片１８ｂにより規定される銀塩フィルムＦの給送通路を通り、カメラ本体１０内のもう一方の片側位置に設けられた巻取りスプール（図示せず）に巻取られる。銀塩フィルムＦが収容されたパトローネがカメラ本体１０内に装填され、撮影動作が順次実行されると、銀塩フィルムＦは一対のガイドレール１８ａおよびガイド片１８ｂにより案内されながら給送され、フィルムガイド部材１８における開口部を横切るように１画面分ずつ移動させられ、巻取りスプールによって順次巻き取られる。
【００２２】
クイックリターンミラー１２の下方には、自動焦点調節のために用いられるＡＦ（自動焦点）ユニット３０が配置されており、ＡＦユニット３０には、光学レンズ３１および３２と、ミラー３３、そして受光素子が並べられたライセンサ３４が設けられている。クイックリターンミラー１２の背面には、サブミラー１６が設けられており、ハーフミラーの性質を有するクイックリターンミラー１２がダウン位置にある場合、撮影光学系１２を通過した光はサブミラー１６において反射し、ＡＦユニット３０のある下方へ導かれる。そして、ＡＦユニット３０に入った光は、光学レンズ３１、３２により集光され、ミラー３３を介してライセンサ３４の受光面に導かれる。これにより、被写体Ｍとカメラ本体１０との距離が測定され、焦点距離が調整される。このような自動焦点調節は、レリーズスイッチが半押し状態になることで実行される。
【００２３】
なお、レリーズスイッチが半押し状態となると、ファインダ１５内に設けられた測光用受光素子（図示せず）により被写体Ｍの明るさが計測され、これにより銀塩フィルムＦに対する適正露光量が定められる。
【００２４】
図２は、フィルム用裏蓋Ｕ１をカメラ本体１０に取り付けた時に作動する主な電気的回路を示した図である。
【００２５】
システムコントロール回路４０は、内部に演算処理用のＣＰＵ（図示せず）を有しており、カメラ本体１０の全体的制御を行う。
【００２６】
システムコントロール回路４０には、電源スイッチ４９、レリーズ半押スイッチ５０、レリーズ全押スイッチ５１、フィルムバック検出回路４８が接続されている。レリーズ半押スイッチ５０とレリーズ全押スイッチ５１は、カメラ本体１０の上部に設けられたレリーズスイッチの押下状態を検出するためのスイッチであり、また、フィルムバック検出回路４８は、フィルム用裏蓋Ｕ１がカメラ本体１０に装着されたことを検出するための回路である。電源スイッチ４９がＯＮ状態となり、銀塩フィルムＦがカメラ本体１０に装填され、フィルム用裏蓋Ｕ１がカメラ本体１０に装着されると、銀塩フィルムＦに被写体Ｍの画像を記録することが可能となり、レリーズスイッチが全押しされると、撮影光学系１１を通った被写体像は、シャッタ１７の開放により銀塩フィルムＦに記録される。なお、システムコントロール回路４０には、電源回路５２が接続されている。
【００２７】
測光回路４６では、被写体Ｍの明るさが、図１に示したファインダ１５内の受光素子により検出された光量に基づいて測定される。そして、測定された明るさに基づいて適正な露光量が求められ、シャッタ１７のシャッタスピードおよび絞りＺの絞り値が定められる。測距回路４７では、被写体Ｍとカメラ本体１０との距離が、ＡＦユニット３０（図１参照）によって検出された距離データに基づいて測定される。そして、測定された距離に基づき、撮影光学系１１内に設けられたレンズが、レンズ駆動回路４２により駆動される。このような測光、測距は、レリーズ半押スイッチ５０がＯＮ状態になると実行される。
【００２８】
シャッタ１７は、シャッタ駆動回路４４により駆動され、また、絞りＺも、絞り駆動回路５３により絞られる。シャッタ１７の駆動および絞りＺの駆動は、レリーズ全押スイッチ５１がＯＮ状態になることで実行され、このとき、絞りＺは、測光に基づいて定められた絞り値に応じて駆動され、また、シャッタ１７も、測光に基づいて定められたシャッタスピードに応じて駆動される。ストロボ回路４５では、ストロボの発光制御が行われる。
【００２９】
コマ数検出回路５４では、銀塩フィルムＦのパーフォレーションを計数することによって銀塩フィルムＦの給送量が検出される。また、フィルム感度検出回路５５では、銀塩フィルムＦの感度が検出される。フィルム巻上げ巻戻し駆動回路４３では、銀塩フィルムＦの巻上げや巻戻しが制御される。
【００３０】
図３は、本実施形態で適用される撮像素子を正面から見た平面図である。また、図４は、撮像素子を横から見た図であり、部分的に撮像素子の内部を示している。図３、図４を用いて、撮像素子の受光面の位置について説明する。
【００３１】
図３では、本実施形態で適用される固体撮像素子であるＣＣＤ４１が示されており、光電変換素子が配設されたセンサ（受光面）Ｃに光が当たると、光電変換により画像信号が発生する。センサＣの領域（斜線部）Ｈは、銀塩フィルムＦの１画面分の露光面の領域と等しくなるように形成されている。
【００３２】
一般に、ＣＣＤ４１など固体撮像素子には、センサＣを保護するため、無色透明なカバーガラスＧがセンサＣの上へ被せられる。そのため、ＣＣＤ４１の寸法は、銀塩フィルムＦの露光面の領域よりも大きくなる。すなわち、ＣＣＤ４１の寸法は、フィルムガイド部材１８における開口部の領域（アパ−チャ−）よりも大きい。
【００３３】
図４に示すように、ＣＣＤ４１の受光面側の表面は、センサＣを覆うカバーガラスＧにより形成されており、また、センサＣとカバーガラスＧの間には空気の層Ａが確保されている。したがって、ＣＣＤ４１の厚さＤは、カバーガラスＧおよびセンサＣの厚みと、空気の層Ａを合わせた厚さとなる。なお、ＣＣＤ４１の裏側には、回路基板にＣＣＤ４１を配設するためのピンＰＮが並んで取り付けられている。
【００３４】
このように、ＣＣＤ４１の厚さＤは、銀塩フィルムＦの厚さに比べて大きく、センサＣは、ＣＣＤ４１のフィルムガイド部材１８側の表面ではなく、ＣＣＤ４１の内部に位置する。すなわち、ＣＣＤ４１の受光面であるセンサＣは、ＣＣＤ４１の表面から光軸に沿って後方に位置する。したがって、ＣＣＤ４１をフィルムガイド部材１８に圧接させても、ＣＣＤ４１の内部にあるセンサＣは、銀塩フィルムＦの露光面の位置に合わせた被写体像の結像面の位置と一致しない。
【００３５】
また、ＣＣＤ４１におけるセンサＣの領域が銀塩フィルムＦの露光面の領域と等しい場合、ＣＣＤ４１本体の寸法が、銀塩フィルムＦの露光面の領域、すなわちフィルムガイド部材１８における開口部の領域に比べて大きいため、開口部１８ｃの中を通してＣＣＤ４１を撮影光学系１１側に移動させ、センサＣの位置を銀塩フィルムＦの露光面の位置Ｘ、すなわち被写体像の結像面の位置と一致させることができない。
【００３６】
そこで、本実施形態では、ＣＣＤ４１のセンサＣの位置を被写体像の結像面の位置と合わせるため、開口部の領域が拡大可能なフィルムガイド部材１８を適用する。
【００３７】
図５は、フィルムガイド部材１８をフィルム用裏蓋Ｕ１側から見た時の斜視図である。
【００３８】
フィルムガイド部材１８は、上部凹型部材１８ｃと下部凹型部材１８ｄから成る。すなわち、フィルムガイド部材１８は、銀塩フィルムＦの給送通路と垂直な方向（以下、上下方向という）に沿って均等に２つに分割されており、２つの凹型部材１８ｃ、１８ｄは、上下方向に沿って変動自在である。フィルムガイド部材１８に形成された開口部１８ｅの領域に関して横方向（長手方向）の長さＢは、銀塩フィルムＦの１画面分の露光面の長さＲよりも大きい。これは、ＣＣＤ４１の寸法（横方向の長さＢ）に対応させるためである。ただし、シャッタ１７の前方、すなわちクイックリターンミラー１２が設けられた空間の光軸に垂直な平面領域は、銀塩フィルムＦの１画面分の露光面の領域と等しいため、銀塩フィルムＦ面上において露光面の領域以外に到達する光を考慮する必要はない。
【００３９】
フィルム用裏蓋Ｕ１側のフィルムガイド部材１８の表面には、１対のフィルムレール面１８ａが開口部１８ｅの上下縁の近傍に形成されており、このフィルムレール面１８ａの位置は銀塩フィルムＦのパーフォレーションＰの位置に対応している。さらに、対になっているフィルムレール面１８ａの外側には、銀塩フィルムＦを案内するためのガイド片１８ｂがそれぞれ２つずつ形成されている。このように、フィルムガイド部材１８にフィルムレール面１８ａおよびガイド片１８ｂが形成されることにより、銀塩フィルムＦの露光面の位置が規定される。そして、撮影動作が実行されることで銀塩フィルムＦが給送される場合、銀塩フィルムＦは、フィルムレール面およびガイド片１８ｂに規定される給送通路に案内されながら、巻き取りスプール側へ移動する。
【００４０】
上部凹型部材１８ｃに設けられたピンＮ１には、駆動レバーＬ１に形成された切欠１８ｈが係合している。駆動レバーＬ１は、上部部材１８ｃを上方向に移動させるためのレバーであり、支軸Ｑ１においてカメラ本体１０に固定される。駆動レバーＬ１は、支軸Ｑ１の回りを所定範囲内で回動可能であり、駆動レバーＬ１が支軸Ｑ１の回りを回動すると、連動して上部凹型部材１８ｃが上下方向に沿って移動する。駆動レバーＬ１の他の一端は、ねじＮ３により被駆動レバーＬ２と係合する。この係合部分Ｖはカメラ本体１０には固定されておらず、駆動レバーＬ１と被駆動レバーＬ２は係合部分Ｖにおいて互いに摺動自在に連結する。
【００４１】
被駆動レバーＬ２の一端に設けられた切欠１８ｉには、下部凹型部材１８ｄに取り付けられたピンＮ２が係合し、また、支軸Ｑ２においてカメラ本体１０に固定される。被駆動レバーＬ２は、支軸Ｑ２を中心に所定範囲内で回動可能であり、被駆動レバーが支軸Ｑ２の回りを回動すると、連動して下部凹型部材１８ｄが上下方向に沿って移動する。被駆動レバーＬ２の他の一端は、ねじＮ３により駆動レバーＬ１と係合する。
【００４２】
上部凹型部材１８ｃには、移動案内開口部１８ｆがパトローネ室側の一端に形成されている。移動案内開口部１８ｆには、ピンＨ３、Ｈ４が通してあり、ピンＨ３、Ｈ４は、カメラ本体１０内のねじ穴（図示せず）に嵌められる。この移動案内開口部１８ｆは、上部凹型部材１８ｃが駆動レバーＬ１の作用により上下方向に移動する時の移動方向を規定する。
【００４３】
上部凹型部材１８ｃと同じように、下部凹型部材１８ｄにも移動案内開口部１８ｇが形成され、その移動案内開口部１８ｇには、ピンＨ１、Ｈ２が通してあり、ピンＨ１、Ｈ２は、カメラ本体１０内に設けられたねじ穴（図示せず）に嵌められる。なお、支軸Ｑ１、支軸Ｑ２、および駆動レバーＬ１と被駆動レバーＬ２が係合する係合部分Ｖは、フィルムガイド部材１８の位置での光軸に垂直な平面上に存在するため、上部凹型部材１８ｃ、および下部凹型部材１８ｄは、その平面上をそれぞれ上下に移動する。
【００４４】
駆動レバーＬ１の作用部ＬＬには、上部凹型部材１８ｃ、下部凹型部材１８ｄをそれぞれ上下方向に移動させるための力が加えられる。上部凹型部材１８ｃ、下部凹型部材１８ｄを上下方向に沿って外側に移動させる（開口部１８ｅの領域をＣＣＤ４１が収容できるように拡大させる）場合、作用部ＬＬにおける力は、下方向、すなわち下部凹型部材１８ｄ側に向けて掛けられる。逆に上部凹型部材１８ｃ、下凹型部部材１８ｄをそれぞれ内側に向けて移動させる場合、力は上方向、すなわち上部凹型部材１８ｃ側に向けて掛けられる。なお、本実施形態では、使用者が指で作用部ＬＬを押下できるように構成されている。
【００４５】
開口部１８ｅの領域が、銀塩フィルムＦの露光面の領域と等しい状態において駆動レバーＬ１の作用部ＬＬに力を下方向に加えると、駆動レバーＬ１が支軸Ｑ１を軸として図面から見て時計回りに回転し、それに連動して上部凹型部材１８ｃが上に向かって移動する。また、駆動レバーＬ１が時計回りに回転することに伴い、係合部分Ｖがフィルムガイド部材１８側に向かって移動する。これにより、ねじＮ３により駆動レバーＬ１と係合する被駆動レバーＬ２が、支軸Ｑ２を軸として反時計回りに回転し、この回転に連動して下部凹型部材１８ｄが下方向に向かって移動する。
【００４６】
図６は、ＣＣＤ４１が入り込むことができるように開口部１８ｅの領域を拡大したときのフィルムガイド部材１８を示した図である。このような上部凹型部材１８ｃと下部凹型部材１８ｄがそれぞれ最上位、最下位の位置にある場合に駆動レバーＬ１の作用部ＬＬに上方向に力を加えると、上部凹型部材１８ｃ、下部凹型部材１８ｃは、それぞれ内側に向かってお互い当接するまで移動する。
【００４７】
このように、上部凹型部材１８ｃと下部凹型部材１８ｄは、それぞれ上下方向に沿って外側もしくは内側に移動し、これにより開口部１８ｅの領域が必要に応じて拡大する。
【００４８】
図７は、撮像素子が備えられた裏蓋を取り付けた時のカメラの内部構成を示した図である。ただし、フィルムガイド部材１８は、図６に示すような状態で固定されている。なお、撮像用の裏蓋が取り付けられている事以外に関しては、図１に示したカメラの内部構成と同じである。
【００４９】
ＣＣＤ４１の後方には、ピンＰＮがハンダ付けされている回路基板ＣＴが設けられており、固定ねじＹは、この回路基板ＣＴを介して撮像用裏蓋Ｕ２の内側に設けられたねじ穴Ｊに嵌められる。これにより、ＣＣＤ４１が撮像用裏蓋Ｕ２に固定される。
【００５０】
フィルムガイド部材１８に形成される開口部１８ｅの領域が拡大されることにより、ＣＣＤ４１が収容できるほどの撮像素子収容領域が形成される。そして、撮像用裏蓋Ｕ２をカメラ本体１０に装着した時、ＣＣＤ４１の表面が銀塩フィルムＦの露光面の位置よりも前方に移動し、ＣＣＤ４１のセンサＣの位置が銀塩フィルムＦの露光面の位置、すなわち被写体像の結像面の位置と一致するように、ＣＣＤ４１は撮像用裏蓋Ｕ２に取り付けられる。
【００５１】
撮像用裏蓋Ｕ２の表側には、液晶表示装置であるＬＣＤ（図示せず）が設けられており、撮像した被写体像が表示される。カメラ本体１０の上部には、モード選択ダイヤル（図示せず）が設けられ、モード選択ダイヤルの操作により、例えば、絞り優先モード、シャッタ優先モード、および再生モードなどが選択される。さらに、カメラ本体１０の上部には、アップスイッチ、ダウンスイッチ（両方とも図示せず）が設けられており、例えば、絞り優先モードにおける絞り値がアップスイッチ、ダウンスイッチの操作により選択される。
【００５２】
図８は、２つの裏蓋Ｕ１、Ｕ２をそれぞれカメラ本体１０に装着した時の被写体像の結像面の位置を示した図である。
【００５３】
図８に示すように、フィルム用裏蓋Ｕ１をカメラ本体１０に装着する場合には、フィルムガイド部材１８に形成される開口部１８ｅを拡大させず、また、撮像用裏蓋Ｕ２をカメラ本体１０に装着する場合には、ＣＣＤ４１が収容できるように開口部１８ｅを拡大させる。これにより、銀塩フィルムＦの露光面およびＣＣＤ４１のセンサＣ（受光面）の位置が、被写体像の結像面の位置と一致する。
【００５４】
図９は、撮像用裏蓋Ｕ２をカメラ本体１０に装着した時に作動する主な電気的回路を示したブロック図である。ＣＣＤ４１が配設された回路基板ＣＴは、撮像用裏蓋Ｕ２がカメラ本体１０に装着されると、カメラ本体１０内の回路基板（図示せず）と接続される。
【００５５】
システムコントロール回路４０には、電源スイッチ４９、レリーズ半押スイッチ５０、レリーズ全押スイッチ５１の他に、アップスイッチ５４、ダウンスイッチ５５、選択モード検出回路５６、デジタルバック検出回路５７が接続されている。モード選択検出回路５６では、モード選択ダイヤルの操作により選択されたモードが検出される。また、デジタルバック検出回路５７では、撮像用裏蓋Ｕ２のカメラ本体１０への装着が検出される。
【００５６】
撮像用裏蓋Ｕ２がカメラ本体１０に装着された状態で撮像動作が実行されると、被写体像はＣＣＤ４１のセンサＣにおいて結像され、これに応じた画像信号が光電変換により発生する。ＣＣＤ４１は、ＣＣＤ駆動回路６０により制御され、１画面分の画像信号が、ＣＣＤ駆動回路６０により読み出される。ＣＣＤ４１から読み出された画像信号は、相関二重サンプリング回路（ＣＤＳ）６１においてリセット雑音が除去され、Ａ／Ｄ変換６２においてアナログ信号からデジタル信号に変換される。
【００５７】
デジタル化された画像信号は、信号処理回路６３に送られる。信号処理回路６３では、様々な画像処理、例えばガンマ補正や輪郭補正処理が施され、処理された画像信号はシステムコントロール回路４０を介してフィールドメモリ７０に送られる。これにより、１画面分の画像信号が一時的にフィールドメモリ７０に格納される。
【００５８】
一時的にフィールドメモリ７０に格納された画像信号は、再びシステムコントロール回路４０に送られ、圧縮処理される。圧縮された画像信号は、フラッシュメモリ７２に画像データとして格納される。なお、フィールドメモリ７０に対する画像信号の書き込みおよび読み出しの制御は、フィールドメモリコントローラ６７により行われ、また、フラッシュメモリ７２に対する画像信号の書き込みおよび読み出しの制御は、フラッシュメモリコントローラ７１により行われる。
【００５９】
モード選択ダイヤルにより再生モードが選択され、ＬＣＤ６６に記録された画像を再生する場合、格納された画像データがフラッシュメモリ７２から読み出され、システムコントロール回路４０において伸張処理され、一時的にフィールドメモリ７０に送られる。フィールドメモリ６７に一時的に格納された画像信号は、システムコントロール回路４０を介してＤ／Ａ変換器６４に送られ、デジタル信号からアナログ信号に変換される。
【００６０】
アナログ化された画像信号は、ＬＣＤ駆動回路６５において所定の処理が施され、その画像信号に基づいて電圧がＬＣＤ６６に対して印加されることでＬＣＤ６６が駆動される。そして、バックライト６９が点灯されることにより、ＬＣＤ６６に被写体像が再生表示される。バックライト６９の点灯は、バックライト駆動回路６８により制御される。
【００６１】
タイミングジェネレータ５８は、システムコントロール回路４０の制御に基づき、ＣＣＤ駆動回路６０、ＣＤＳ６１、Ａ／Ｄ変換機３３、信号処理回路６３、Ｄ／Ａ変換機６４、ＬＣＤ駆動回路６５、フィールドメモリコントローラ７０に対してサンプルパルスなどを出力し、これらの動作制御を行う。
【００６２】
図１０は、撮影動作および撮像動作の手順を示したフローチャートである。フィルム用裏蓋Ｕ１もしくは撮像用裏蓋Ｕ２がカメラ本体１０に装着されると、撮影動作もしくは撮像動作が開始される。
【００６３】
ステップ１０１では、カメラ本体１０に撮像用裏蓋Ｕ２が装着されたか否かが判定される。すなわち、撮像用裏蓋Ｕ２がカメラ本体１０に取りつけられ、閉じた状態であるか否かが判定される。
【００６４】
ステップ１０１において、撮像用裏蓋Ｕ２が装着されず、フィルム用裏蓋Ｕ１が装着されたと判断された場合、ステップ１０２に移る。ただし、フィルムガイド部材１８における開口部１８ｅは、拡大されていないものとする。ステップ１０２では、撮影動作を実行するようにシステムコントロール回路４０が設定され、ステップ１０３に移る。ステップ１０３では、レリーズスイッチが半押しされてレリーズ半押スイッチ５０がＯＮ状態であるか否かが判定される。レリーズ半押スイッチ５０がＯＮ状態であると判断されると、ステップ１０４に移る。レリーズ半押スイッチ５０がＯＮ状態ではないと判断された場合、レリーズ判押スイッチ５０がＯＮ状態になるまで繰り返しステップ１０３が実行される。
【００６５】
ステップ１０４では、被写体の明るさおよび被写体までの距離が、測距回路４６、および測光回路５７により測定される。そして、測定された明るさに基づいて絞り値およびシャッタスピードが定められ、測定された距離に基づいて自動焦点調整が実行される。測光および自動焦点調整が実行されると、ステップ１０５に移る。
【００６６】
ステップ１０５では、レリーズスイッチの判押しが解除されてレリーズ判押スイッチ５０がＯＦＦ状態であるか否かが判定される。レリーズ判押スイッチ５０がＯＦＦ状態であると判断されると、ステップ１０３に戻る。レリーズ判押スイッチ５０がＯＦＦ状態ではないと判断された場合、ステップ１０６に移る。
【００６７】
ステップ１０６では、レリーズスイッチが全押しされてレリーズ全押スイッチ５１がＯＮ状態であるか否かが判定される。レリーズ全押スイッチ５１がＯＮ状態であると判断されると、ステップ１０７に移る。レリーズ全押スイッチ５１がＯＮ状態ではないと判断された場合、ステップ１０５に戻る。
【００６８】
ステップ１０７では、絞りＺがステップ１０４により定められた絞り値まで絞り込まれ、また、シャッタ１７がステップ１０４により定められた時間だけ開放される。このような絞りＺとシャッタ１７の駆動により、銀塩フィルムＦが露光される。このとき、銀塩フィルムＦの露光面の位置は被写体像の結像面の位置と一致しており、ピントの合った被写体像が銀塩フィルムＦに記録される。被写体像が銀塩フィルムＦに記録されると、ステップ１０８に移る。
【００６９】
ステップ１０８では、銀塩フィルムＦがフィルム巻上げ巻戻し回路４３により給送され、銀塩フィルムＦが給送されると、一連の撮影動作は終了する。
【００７０】
ステップ１０１において、撮像用裏蓋Ｕ２がカメラ本体１０に装着されたと判断されると、ステップ１０９に移る。ただし、フィルムガイド部材１８における開口部１８ｅは、拡大されているものとする。ステップ１０９では、撮像動作が実行されるようにシステムコントロール回路４０が設定され、ステップ１１０に移る。
【００７１】
ステップ１１０〜１１４の実行は、ステップ１０３〜１０７の実行と同じである。すなわち、レリーズスイッチが半押しされると測距、測光が行われ、レリーズスイッチが全押しされるとＣＣＤ４１が露光され、これにより被写体像に応じた画像信号が得られる。このとき、ＣＣＤ４１のセンサ（受光面）Ｃの位置は、被写体像の結像面の位置と一致しており、被写体像がＣＣＤ４１のセンサＣ上において結像される。そして、ステップ１１５では、画像信号がＣＣＤ４１から読み出され、システムコントロール回路４０において圧縮される。圧縮された画像信号は、フラッシュメモリ７２に画像データとして格納される。被写体像が画像データとしてフラッシュメモリ７２に格納されると、一連の撮像動作は終了する。
【００７２】
このように本実施形態によれば、銀塩フィルムＦに画像を記録する場合、フィルムガイド部材１８における開口部１８ｅは拡大されず、また、ＣＣＤ４１により被写体を撮像する場合、開口部１８ｅを拡大される。これにより、撮像用裏蓋Ｕ２をカメラ本体１０に装着した時のＣＣＤ４１内部にあるセンサＣの位置が、銀塩フィルムＦの露光面の位置Ｘに定められる被写体像の結像面の位置と一致し、銀塩フィルムＦに対する撮影動作およびＣＣＤ４１による撮像動作どちらを実行しても、合焦した被写体像が記録される。
【００７３】
フィルムガイド部材１８における開口部１８ｅを拡大する場合、駆動レバーＬ１に力を加えるだけで上部凹型部材１８ｃと下部凹型部材１８ｄがそれぞれ上下方向に沿って外側に移動する。よって、撮影動作および撮像動作の切り替えが、手間をかけずに短時間で行うことができる。
【００７４】
従来使用されている銀塩フィルム用の一眼レフ型カメラに設けられたフィルムガイド部材１８に関し、開口部１８ｅを拡大可能にした構成であるため、今まで製造された一眼レフカメラの構成、機構を大きく変更することなく、一眼レフ型の銀塩デジタルスチル両用カメラを製造することができる。
【００７５】
なお、一眼レフ型の銀塩デジタルスチル両用カメラだけでなく、コンパクト型の銀塩デジタルスチル両用カメラに対しても本実施形態のようなフィルムガイド部材１８を設ける構成を適用してもよい。
【００７６】
【発明の効果】
以上のように本発明によれば、銀塩フィルムの露光面および撮像素子の受光面の位置と被写体像の結像面の位置を容易に一致させることができる。
【図面の簡単な説明】
【図１】フィルム用裏蓋が装着された一眼レフ型カメラの内部構成を示した図である。
【図２】カメラの電気的回路を示したブロック図である。
【図３】撮像素子を正面から見た平面図である。
【図４】撮像素子を横から見た図である。
【図５】フィルムガイド部材を示した斜視図である。
【図６】開口部が拡大したフィルムガイド部材を示した図である。
【図７】撮像用裏蓋が装着された一眼レフ型カメラの内部構成を示した図である。
【図８】被写体像の結像面の位置を示した図である。
【図９】カメラの電気的回路を示したブロック図である。
【図１０】撮影動作および撮像動作の手順を示したフローチャートである。
【符号の説明】
１１    撮影光学系
１８    フィルムガイド部材
１８ａ  フィルムレール
１８ｂ  ガイド片
１８ｃ  上部凹型部材（凹型部材）
１８ｄ  下部凹型部材  （凹型部材）
１８ｅ  開口部
４１    ＣＣＤ（撮像素子）
７２    フラッシュメモリ（メモリ）
Ｃ      センサ（受光面）
Ｆ      銀塩フィルム
Ｘ      露光面の位置
Ｕ１    フィルム用裏蓋
Ｕ２    撮像用裏蓋
【図１】
0003563998.tif 000002
【図２】
0003563998.tif 000003
【図３】
0003563998.tif 000004
【図４】
0003563998.tif 000005
【図５】
0003563998.tif 000006
【図６】
0003563998.tif 000007
【図７】
0003563998.tif 000008
【図８】
0003563998.tif 000009
【図９】
0003563998.tif 000010
【図１０】
0003563998.tif 000011